(57)【要約】【課題】引き出しや収納扉を備えたキャビネットにおいて、キャビネット本体の底部材と床面との間に板材を挟み込んだり、キャビネット本体の底部材自体の厚さを大きくしたりすることなく、引き出しの前板の下端面や収納扉の下端面と床面との間にある程度の隙間を確保する。【解決手段】キャビネット本体に蹴込み付き引き出しが取り付けられており、キャビネット本体を構成している底桟１６の前端面には、基端部が固着片４１の下端縁に連設され、固着片４１の前面側において立ち上がる立ち上がり片４２を有するパッキン４０が取り付けられている。立ち上がり片４２は、その先端部が、底桟１６の上面から上方に張り出しており、蹴込み付き引き出しを閉めたときに、底桟１６の上面から上方に張り出した部分が、蹴込み付き引き出しの下部前板３２の下端部に当接して、下部前板３２の下端面と底桟１６の上面との間に形成される隙間が閉塞されるようになっている。【選択図】        図４
2008073269.tif 000002
【特許請求の範囲】
【請求項１】
引き出しまたは収納扉が、キャビネット本体に取り付けられたキャビネットにおいて、
前記キャビネット本体を構成している底部材の前端面にパッキンが取り付けられており、
前記パッキンは、前記底部材の上面よりも上側において、閉めた前記引き出しの前板の下端部または閉じた前記収納扉の下端部に当接する当接部を有していることを特徴とするキャビネット。
【請求項２】
上部前板と、この上部前板の後方側に配設された、蹴込みを形成する下部前板とを有する蹴込み付き引き出しが、キャビネット本体に取り付けられたキャビネットにおいて、
前記キャビネット本体を構成している底部材の前端面にパッキンが取り付けられており、
前記パッキンは、前記底部材の上面よりも上側において、閉めた前記蹴込み付き引き出しの前記下部前板の下端部に当接する当接部を有していることを特徴とするキャビネット。
【請求項３】
前記パッキンは、前記底部材の前端面に固着される固着片と、基端部が前記固着片の下端縁に連設され、先端部が前記底部材の上面から上方に張り出すように、立ち上がった立ち上がり片とを有し、
前記立ち上がり片における前記底部材の上面から上方に張り出した部分が前記当接部となる請求項１または２に記載のキャビネット。
【発明の詳細な説明】
【技術分野】
【０００１】
この発明は、システムキッチンのベースキャビネット等の引き出しや収納扉を備えたキャビネットに関する。
【背景技術】
【０００２】
例えば、システムキッチンのベースキャビネットとしては、図６に示すようなものがある。このベースキャビネット５０は、同図（ａ）、（ｂ）に示すように、キャビネット本体５１の下端部に、蹴込み付き引き出し５２が配設されており、蹴込み部を収納空間として有効利用することができるようになっている。
【０００３】
この蹴込み付き引き出し５２は、上部前板５２ａと、この上部前板５２ａの後方側に配設された、蹴込みを形成する下部前板５２ｂとを備えており、この蹴込み付き引き出し５２を閉めると、下部前板５２ｂの下端部がキャビネット本体５１の底板５１ａの前端面に当接するようになっている。
【０００４】
ところで、こういったシステムキッチンのベースキャビネットが設置される床面には、ベースキャビネットの前方側に、キッチンマット等を敷くことが考えられるので、蹴込み付き引き出し５２を手前に引き出したときに、下部前板５２ｂがキッチンマット等に引っかからないように、床面Ｆと下部前板５１ｂの下端面との間にある程度の隙間（約１７ｍｍ）を確保する必要があるが、単に、下部前板５１ｂの縦寸法を短くすることにより、その下端面の位置を上げるようにすると、蹴込み付き引き出し５２を閉めた状態で、キャビネット本体５１の底板５１ａの上面と下部前板５２ｂの下端面との間に隙間が形成されるおそれがある。
【０００５】
そこで、上述したような蹴込み付き引き出し５２を備えたベースキャビネット５０の場合は、下部前板５１ｂの縦寸法を短くするのではなく、図７（ａ）に示すように、キャビネット本体５１の底板５１ａと床面Ｆとの間にある程度の厚みを有する板材Ｍを挟み込んだり、同図（ｂ）に示すように、キャビネット本体５１の底板５１ａ自体の厚さを大きくしたりすることによって、床面Ｆと下部前板５１ｂの下面との間にある程度の隙間を確保している。
【０００６】
【特許文献１】特開２００１−２９２８４３号公報
【特許文献２】実開昭６０−１１５０３１号公報
【発明の開示】
【発明が解決しようとする課題】
【０００７】
しかしながら、図７（ａ）に示すように、キャビネット本体５１の底板５１ａと床面との間に板材Ｍを挟み込むことによって、床面Ｆと下部前板５１ｂの下面との間にある程度の隙間を確保しようとすると、ベースキャビネット５１の設置作業に手間がかかるという問題があり、また、同図（ｂ）に示すように、キャビネット本体の底板５１ａ自体の厚さを大きくすることによって、床面Ｆと下部前板５１ｂの下面との間にある程度の隙間を確保しようとすると、ベースキャビネットの製品価格が上昇するといった問題がある。
【０００８】
そこで、この発明の課題は、引き出しや収納扉を備えたキャビネットにおいて、キャビネット本体の底部材と床面との間に板材を挟み込んだり、キャビネット本体の底部材自体の厚さを大きくしたりすることなく、引き出しの前板の下端面や収納扉の下端面と床面との間にある程度の隙間を確保することにある。
【課題を解決するための手段】
【０００９】
上記の課題を解決するため、請求項１にかかる発明は、引き出しまたは収納扉が、キャビネット本体に取り付けられたキャビネットにおいて、前記キャビネット本体を構成している底部材の前端面にパッキンが取り付けられており、前記パッキンは、前記底部材の上面よりも上側において、閉めた前記引き出しの前板の下端部または閉じた前記収納扉の下端部に当接する当接部を有していることを特徴とするキャビネットを提供するものである。
【００１０】
また、上記の課題を解決するため、請求項２にかかる発明は、上部前板と、この上部前板の後方側に配設された、蹴込みを形成する下部前板とを有する蹴込み付き引き出しが、キャビネット本体に取り付けられたキャビネットにおいて、前記キャビネット本体を構成している底部材の前端面にパッキンが取り付けられており、前記パッキンは、前記底部材の上面よりも上側において、閉めた前記蹴込み付き引き出しの前記下部前板の下端部に当接する当接部を有していることを特徴とするキャビネットを提供するものである。
【００１１】
また、請求項３にかかる発明は、請求項１または２にかかる発明のキャビネットにおいて、前記パッキンとして、前記底部材の前端面に固着される固着片と、基端部が前記固着片の下端縁に連設され、先端部が前記底部材の上面から上方に張り出すように、立ち上がった立ち上がり片とを有し、前記立ち上がり片における前記底部材の上面から上方に張り出した部分が前記当接部となるものを使用したのである。
【発明の効果】
【００１２】
以上のように、請求項１にかかる発明のキャビネットは、キャビネット本体を構成している底部材の前端面に取り付けられたパッキンが、底部材の上面よりも上側において、閉めた引き出しの前板の下端部または閉じた収納扉の下端部に当接する当接部を有しているので、キャビネットが設置される床面と引き出しの前板の下端面や収納扉の下端面との間にある程度の隙間を確保するために、引き出しの前板や収納扉の縦寸法を短くし、それに伴って、キャビネット本体の底部材の上面と、引き出しの前板の下端面や収納扉の下端面との間に隙間が形成されたとしても、その隙間がパッキンによって閉塞され、虫等のキャビネット本体内への進入を防止することができる。
【００１３】
従って、従来のキャビネットのように、引き出しの前板の下端面や収納扉の下端面と床面との間にある程度の隙間を確保するために、キャビネット本体の底部材と床面との間に板材を挟み込んだり、キャビネット本体の底部材自体の厚さを大きくしたりする必要がないので、キャビネットの設置作業に手間がかかることがなく、キャビネット自体の製品価格も抑えることができる。
【００１４】
また、請求項２にかかる発明のキャビネットは、キャビネット本体を構成している底部材の前端面に取り付けられたパッキンが、底部材の上面よりも上側において、閉めた蹴込み付き引き出しの下部前板の下端部に当接する当接部を有しているので、キャビネットが設置される床面と蹴込み付き引き出しの下部前板の下端面との間にある程度の隙間を確保するために、蹴込み付き引き出しの下部前板の縦寸法を短くし、それに伴って、キャビネット本体の底部材の上面と、蹴込み付き引き出しの下部前板の下端面との間に隙間が形成されたとしても、その隙間がパッキンによって閉塞され、虫等のキャビネット本体内への進入を防止することができる。
【００１５】
従って、従来のキャビネットのように、蹴込み付き引き出しの下部前板の下端面と床面との間にある程度の隙間を確保するために、キャビネット本体の底部材と床面との間に板材を挟み込んだり、キャビネット本体の底部材自体の厚さを大きくしたりする必要がないので、キャビネットの設置作業に手間がかかることがなく、キャビネット自体の製品価格も抑えることができる。
【００１６】
特に、請求項３にかかる発明のキャビネットのように、パッキンとして、底部材の前端面に固着される固着片と、基端部が固着片の下端縁に連設され、先端部が底部材の上面から上方に張り出すように、立ち上がった立ち上がり片とを有し、前記立ち上がり片における前記底部材の上面から上方に張り出した部分が前記当接部となるものを使用すると、タッカーでステープルを打ち込んで固着片を底部材の前端面に固定した場合であっても、固着片が立ち上がり片によって覆われているので、そのステープルが露出することがなく、外観が損なわれないという効果が得られる。
【発明を実施するための最良の形態】
【００１７】
以下、実施の形態について図面を参照して説明する。図１（ａ）、（ｂ）及び図２は、システムキッチンのベースキャビネット１を示している。このベースキャビネット１は、同図に示すように、上面開口部及び前面開口部を有するキャビネット本体１０と、このキャビネット本体１０の前面開口部における左右の上半部領域にそれぞれ差し込まれる引き出し２０、２０と、キャビネット本体１０の前面開口部における左右の下半部領域にそれぞれ差し込まれる蹴込み付き引き出し３０、３０とから構成されており、キャビネット本体１０の上面開口部にシンクを有するカウンター（図示せず）が固定設置されるようになっている。
【００１８】
前記キャビネット本体１０は、左右一対の側板１１、１１と、側板１１、１１を背面側で連結する背板１２と、左側収納部と右側収納部とを区画する中仕切板１３と、左側の側板１１の上部と中仕切板１３の上部とを前面側で連結する前桟木１４と、右側の側板１１の上部と中仕切板１３の上部とを前面側で連結する戸当り桟１５と、側板１１、１１を下端部で連結する前後一対の底桟１６、１６とを備えており、蹴込み部を形成するために、側板１１、１１は、その前端側の下端部が切り欠かれている。
【００１９】
前記引き出し２０は、図２に示すように、深型の引き出し本体２１と、この引き出し本体２１の前端部にそれぞれ固着された前板２２と、この前板２２の前面上部に固定された取手２３を備えており、引き出し本体２１を構成している背板２１ａと前板２２とが左右一対の補強ステー２４によって連結されている。
【００２０】
前記蹴込み付き引き出し３０は、図２及び図３に示すように、蹴込み深型の引き出し本体３１と、この引き出し本体３１の前端部にそれぞれ固着された、蹴込み部を形成する下部前板３２と、この下部前板３２よりも前方側に配設され、連結金具３４を介して、下部前板３２に固定された上部前板３３とを備えており、引き出し本体３１を構成している背板３１ａと上部前板３３とが左右一対の補強ステー３５によって連結されている。なお、蹴込み付き引き出し３０には、取手が設けられておらず、下部前板３２の上端部と上部前板３３の下端部との間に形成された窪みに手を掛けて引き出すようになっている。
【００２１】
前記蹴込み付き引き出し３０を構成している下部前板３２は、図４に示すように、その下端面が、キャビネット本体１０を構成している底桟１６の上面よりも上側に位置しており、底桟１６の前端面には、パッキン４０が取り付けられている。
【００２２】
前記パッキン４０は、図４及び図５に示すように、底桟１６の前端面に固着される、アクリロニトリルブタジエンスチレン共重合体によって形成された比較的硬い固着片４１と、基端部が固着片４１の下端縁に連設され、固着片４１の前面側において立ち上がる、オレフィン系エラストマーによって形成された柔軟な立ち上がり片４２とを備えており、固着片４１の後面には、予め、両面粘着テープ４３が貼着されている。
【００２３】
前記固着片４１は、その上端部が後方側に張り出した張出部４１ａを有しており、固着片４１を底桟１６の前端面に固着する際、張出部４１ａの下面を底桟１６の上面に当接させることで、高さ方向の位置決めを行うことができるようになっている。
【００２４】
前記立ち上がり片４２は、その先端部が、底桟１６の上面から上方に張り出すように、後方に湾曲しており、図４に示すように、蹴込み付き引き出し３０を閉めたときに、底桟１６の上面から上方に張り出した部分が、蹴込み付き引き出し３０を構成している下部前板３２の下端部に当接して、下部前板３２の下端面と底桟１６の上面との間に形成される隙間が閉塞されるようになっている。
【００２５】
従って、このベースキャビネット１では、蹴込み付き引き出し３０を引き出したときに、ベースキャビネット１の前方側の床面Ｆに敷かれたキッチンマット等に、蹴込み付き引き出し３０が引っかからないように、ベースキャビネット１が設置される床面Ｆと蹴込み付き引き出し３０の下部前板３２の下端面との間にある程度の隙間を確保するために、キャビネット本体１０の底桟１６と床面との間に板材を挟み込んだり、キャビネット本体１０の底桟１６自体の厚さを大きくしたりする必要がないので、ベースキャビネット１の設置作業に手間がかかることがなく、ベースキャビネット１自体の製品価格も抑えることができる。
【００２６】
特に、このベースキャビネット１に使用されているパッキン４０は、立ち上がり片４２が固着片４１の前面側を完全に覆っているので、図４に示すように、タッカーでステープルＳを打ち込んで固着片４１を底桟１６の前端面に固定した場合であっても、そのステープルＳが露出することがなく、外観が損なわれないという効果がある。
【００２７】
なお、上述した実施形態では、キャビネット本体１０を構成している底部材が底桟１６であるベースキャビネット１について説明したが、これに限定されるものではなく、底部材が、キャビネット本体の設置領域の全領域を覆う底板によって形成されているキャビネットについても、本発明を適用することができる。
【００２８】
また、上述した実施形態では、蹴込み付き引き出し３０を備えたベースキャビネット１について説明したが、これに限定されるものではなく、本発明は、蹴込み部のないキャビネットであって、引き出しの前板や収納扉の下端面が、床面に近接しているような種々のキャビネットに適用することができることは言うまでもない。
【００２９】
また、上述した実施形態で使用しているパッキン４０は、蹴込み付き引き出し３０を構成している下部前板３２の下端部が当接する立ち上がり片４２が、キャビネット本体１０を構成している底桟１６の前端面に固着される固着片４１の下端縁に連設され、固着片４１の前面側において立ち上がっているが、これに限定されるものではなく、蹴込み付き引き出し、通常の引き出しまたは収納扉の下端部が当接する当接部が固着部の上端から立ち上がっているパッキンを使用することも可能である。
【図面の簡単な説明】
【００３０】
【図１】（ａ）はこの発明にかかるキャビネットの一実施形態であるベースキャビネットを示す平面図、（ｂ）は同上のベースキャビネットを示す正面図である。
【図２】図１（ａ）のＸ−Ｘ線に沿った断面図である。
【図３】同上のベースキャビネットを構成している蹴込み付き引き出しを示す拡大断面図である。
【図４】同上の蹴込み付き引き出しにおける下部前板とパッキンとの関係を示す拡大断面図である。
【図５】同上のパッキンの端面を示す拡大図である。
【図６】（ａ）、（ｂ）は蹴込み付き引き出しを備えた従来のベースキャビネットを示す側面図である。
【図７】（ａ）、（ｂ）は同上のベースキャビネットにおける従来の改善例を示す側面図である。
【符号の説明】
【００３１】
１  ベースキャビネット
１０  キャビネット本体
１１  側板
１２  背板
１３  中仕切板
１４  前桟木
１５  戸当り桟
１６  底桟（底部材）
２０  引き出し
２１  引き出し本体
２２  前板
２３  取手
２４  補強ステー
３０  蹴込み付き引き出し
３１  引き出し本体
３２  下部前板
３３  上部前板
３４  連結金具
３５  補強ステー
４０  パッキン
４１  固着片
４１ａ  張出部
４２  立ち上がり片
４３  両面粘着テープ
Ｆ  床面
【図１】
2008073269.tif 000003
【図２】
2008073269.tif 000004
【図３】
2008073269.tif 000005
【図４】
2008073269.tif 000006
【図５】
2008073269.tif 000007
【図６】
2008073269.tif 000008
【図７】
2008073269.tif 000009